(57)【要約】【課題】  リベット止めを行った後に、分離して廃棄しなければならないゴミが発生しないようなブラインドリベットを提供する。【解決手段】  ブラインドリベットが、リベット本体（１）と、リベット本体に形成された鍔部（３）であって、少なくともほぼ平坦な下面（４）を有し、かつ下面（４）の反対側の上面（５）に工具（１４）用の把持面を有する鍔部（３）と、工具（タペット２０）の衝突時に、拡張工程用の中央把持面が、下面（４）の前方において、特に鍔部の前記下面（４）から間隔を空けて、リベット本体（１）の前部領域の変形を生じさせるように形成および配置されている中央把持面とを有する。【選択図】  図１
2009526179.tif 000002
【特許請求の範囲】
【請求項１】
ブラインドリベットであって、
リベット本体（１）と、
前記リベット本体に形成された鍔部（３）であって、少なくともほぼ平坦な下面（４）を有し、かつ該下面（４）の反対側の上面（５）に工具（１４）用の把持面を有する鍔部（３）と、
工具（タペット２０）の衝突時に、拡張工程用の中央把持面が、前記下面（４）の前方において、特に前記鍔部の前記下面（４）から間隔を空けて、前記リベット本体（１）の前部領域の変形を生じさせるように形成および配置されている前記中央把持面と、
を有するブラインドリベット。
【請求項２】
ブラインドリベットであって、
リベット本体（１）と、
前記リベット本体に形成された鍔部（３）であって、少なくともほぼ平坦な下面（４）を有し、かつ該下面（４）の反対側の上面（５）に工具（１１）用の把持面を有する鍔部（３）と、
拡張工程用の中央把持位置を工具が把持して引っ張ることにより、前記鍔部（３）の前記下面（４）の前方において、特に前記下面（４）から間隔を空けて、前記リベット本体（１）の前部領域の変形が生じるように形成および配置されている前記把持位置（８）と、
を有するブラインドリベット。
【請求項３】
前記中央把持面が前記リベット本体（１）の穴（８、２８）の端部に形成されている請求項１または２に記載のブラインドリベット。
【請求項４】
中央把持面（７）が前記リベット本体（１）の穴（７）の狭隘部に形成されている請求項１〜３のいずれか１項に記載のブラインドリベット。
【請求項５】
前記中央把持面が前記リベット本体（１）の穴（８、２８）の狭隘部（１２、２９）によって形成されている請求項１〜４のいずれか１項に記載のブラインドリベット。
【請求項６】
前記中央把持面にセット工具（１４）のタペット（２０）を当てることができる請求項１〜５のいずれか１項に記載のブラインドリベット。
【請求項７】
前記穴（８、２８）内には、前記中央把持面に割り当てられた前記中央把持面の反対側の前端（１１）を有する拡張体（１０、３０）が配置されている請求項１〜６のいずれか１項に記載のブラインドリベット。
【請求項８】
前記拡張体（１０、３０）が前記リベット本体（１）の前記鍔部（３）の前記把持面（５）から突出する請求項７に記載のブラインドリベット。
【請求項９】
前記穴（８）が前記狭隘部（１２）の後方からリベット先端（６）の前記前部領域（７）まで連続する請求項１〜８のいずれか１項に記載のブラインドリベット。
【請求項１０】
引張棒（４９）を取り付けて引っ張るための前記中央把持面が形成されている請求項１〜９のいずれか１項に記載のブラインドリベット。
【請求項１１】
前記リベット本体（１）の非円形断面、および／または前記鍔部（３）の前記平坦な下面（４）の突出部を有する請求項１〜１０のいずれか１項に記載のブラインドリベット。
【請求項１２】
前記中央把持位置が凹部（３８）の底部（３９）に形成されている請求項１〜１１のいずれか１項に記載のブラインドリベット。
【請求項１３】
前記中央把持位置が、前記凹部（３８）の前記底部（３９）に隆起して形成されており、前記凹部（３８）よりも小さい直径を有する請求項１〜１２のいずれか１項に記載のブラインドリベット。
【請求項１４】
前記鍔部（３）が、ねじ山、特に雄ねじ（６２）を設けた付加部（６１）を備え、該付加部が前記把持面（５）を有する請求項１〜１３のいずれか１項に記載のブラインドリベット。
【請求項１５】
内孔（８）が雌ねじ（６３）を有する請求項１〜１４のいずれか１項に記載のブラインドリベット。
【請求項１６】
穴の内部で拡張させるための前記リベット本体（１）の前記前部領域が形成されている請求項１〜１５のいずれか１項に記載のブラインドリベット。
【請求項１７】
ブラインドリベットを形成するための方法であって、
リベット本体（１）が中空リベットとして形成され、前記リベット本体の一方の端部の領域には鍔部（３）が設けられ、
前記リベット本体（１）には、それぞれ１つの工具用の外側把持面（５）および中央把持面が設けられる方法において、
前記中央把持面への急激な作用により、前記リベット本体（１）の領域に変形が生じるように、前記リベット本体の前端（７）と前記中央把持面との間に前記リベット本体（１）の領域が形成される方法。
【請求項１８】
ブラインドリベットをセットするための方法であって、
鍔部（３）の下面（４）が要素の上面に当接するまで、ブラインドリベットが前記要素に挿入され、
次に、前記リベット本体を拡張させるために、特にリベット頭部（２２）を成形するために、中央把持面への同一の方向の急激な衝突によって、前記把持面と前記ブラインドリベットの先端との間の領域が変形される方法。
【請求項１９】
ブラインドリベットをセットするための方法であって、
鍔部（３）の下面（４）が要素の上面（１２）に当接するまで、ブラインドリベットが前記要素に挿入され、
引張ボルト（４９）が、前記ブラインドリベットの底部（３９）に当接するまで、前記ブラインドリベットの凹部（３８）に挿入され、
前記引張ボルト（４９）が前記凹部（３８）の前記底部（３９）に結合され、
前記リベットを変形させるために前記引張ボルト（４９）で引っ張りが行われ、変形が完了した後に、特にリベット頭部を成形した後に、前記引張ボルト（４９）が前記ブラインドリベットから分離される方法。
【請求項２０】
結合のために、冷間溶接法が行われる請求項１９に記載の方法。
【請求項２１】
結合のために、抵抗溶接が行われる請求項１９に記載の方法。
【請求項２２】
結合部を形成するために、コンデンサ放電溶接が行われる請求項１９に記載の方法。
【請求項２３】
引張力が、対向要素を支持しつつブラインドリベットに加えられる請求項１９〜２２のいずれか１項に記載の方法。
【請求項２４】
前記引張ボルト（４９）を前記ブラインドリベットに結合するために、前記引張ボルト（４９）が前記凹部の前記底部にねじ込まれ、引き抜いた後に、再びねじ止めが外される請求項１９または２３に記載の方法。
【請求項２５】
ブラインドリベットをセットするための装置であって、
ブラインドリベットを保持するためのホルダと、
少なくとも前部領域が管状の保持体（１４ａ）と、
前記保持体（１４ａ）を前進させるための駆動装置（４１）と、
前記保持体（１５）と同軸に配置されたタペット（２０）と、
前記タペット（２０）を急激に前進させるための駆動装置（４１）と、
を有する装置。
【請求項２６】
前進移動を行うための装置を有する請求項２５に記載の装置。
【請求項２７】
時間間隔を達成するために、２つの前進移動が順次開始されるように、前記装置が形成されている請求項２５に記載の装置。
【請求項２８】
時間間隔を達成するために、２つの前進移動が、異なる長さの移動行程を有するように、前記装置が形成されている請求項２６または２７に記載の装置。
【請求項２９】
時間間隔を達成するために、２つの送り要素が、異なる長さを有するように、前記装置が形成されている請求項２６〜２８のいずれか１項に記載の装置。
【請求項３０】
２つの前進工程のために、共通の駆動装置が設けられている請求項２５〜２９のいずれか１項に記載の装置。
【請求項３１】
２つの前進工程のために、それぞれ１つの専用の駆動装置が設けられている請求項２５〜３１のいずれか１項に記載の装置。
【請求項３２】
ブラインドリベットをセットするための装置であって、
ブラインドリベットを保持するためのホルダと、
少なくとも前部領域が管状の保持体（１４ａ）と、
前記保持体（１４ａ）を前進させるための駆動装置（４１）と、
前記保持体（１４ａ）と同軸に配置された引張ボルト（４９）と、
前記引張ボルト（４９）を前進および後退させるための駆動装置と、
前記引張ボルト（４９）を前記ブラインドリベットの凹部（３８）の底部（３９）に結合するための装置と、
前記引張ボルト（４９）と前記ブラインドリベットとの間の結合部を分離するための装置と、
を有する装置。
【請求項３３】
前記引張ボルト（４９）をねじるための回転装置を有する請求項３２に記載の装置。
【請求項３４】
冷間溶接装置を有する請求項３２または３３に記載の装置。
【請求項３５】
前記引張ボルト（４９）と前記ブラインドリベットとの間で抵抗溶接を行うための装置を有する請求項３２または３３に記載の装置。
【請求項３６】
前記引張ボルト（４９）と前記ブラインドリベットとの間でコンデンサ放電溶接を行うための装置を有する請求項３２または３３に記載の装置。
【請求項３７】
前記回転装置が剪断装置として機能する請求項３３〜３６のいずれか１項に記載の装置。
【請求項３８】
複数のブラインドリベットを収容および供給するためのマガジン（４３）を有する請求項３３〜３７のいずれか１項に記載の装置。
【発明の詳細な説明】
【技術分野】
【０００１】
本発明は、ブラインドリベットと、それをセットするための装置および方法とに関する。
【背景技術】
【０００２】
中空リベットは長い間知られている。それらの中空リベットは、リベット工程によって２つの要素を互いに結合するために使用され、この場合、背面へのアクセスが不要である。この理由から、互いに結合すべき２つの要素の背面へのアクセスが不可能である位置には、中空リベットが特に適している。通常の中空リベットの場合、結合すべき要素には、リベット本体が差し込まれる穴を設ける必要がある。次に、上面からリベットマンドレルで引っ張りが行われ、これにより、リベット頭部が成形されるように、背面のリベットが変形される。
【０００３】
リベットの上面に突出するマンドレルの先端を自己穿孔先端として形成することが既知であり、この結果、リベット工程の過程において、対応するユニットで穿孔工程を行うことができる。
【０００４】
全ての公知のブラインドリベットの場合、固有のリベット工程を行うために、セット後に、ブラインドリベットの一部を形成するマンドレルで引っ張りを行わなければならない。次に、引っ張るための工具が把持するこの比較的長いマンドレルは、周囲の位置に投げ捨てられるかまたは制御不能に落下され、ここで、リベット止めが行われた。
【０００５】
さらに、リベット本体において、切頭端部を有する鍔部の正面から突出する、先端を有するマンドレルが孔に挿入されるハンマー打撃リベットが知られている。このようなリベットはハンマー打撃で打ち込まれる。この場合、ハンマーがマンドレルの突出端に当たる。このハンマー打撃は、最初に、純粋な推進力における、その次に、拡張力における力の正確な分配を行うことができない（特許文献１）。
【特許文献１】米国特許第３，６９１，９２４号明細書
【発明の開示】
【発明が解決しようとする課題】
【０００６】
本発明の課題は、リベット止めを行った後に、分離して廃棄しなければならないゴミが発生しないようなブラインドリベット法を提供することである。
【課題を解決するための手段】
【０００７】
この課題を解決するために、本発明は、請求項１に記載されている特徴を有するブラインドリベットと、請求項２に記載されている特徴を有するブラインドリベットとを提供する。本発明の発展形態は従属請求項の対象である。
【発明の実施形態】
【０００８】
本発明によって提供されるブラインドリベットは、ブラインドリベットが一方の部材の上面に配置される当接面を形成する鍔部を有するリベット本体も備える。リベット本体はさらに前端を有し、この前端は、例えば、穴を通して、結合すべき部材に差し込まれ、反対側に十分に突出する。これに対して、ブラインドリベットが、鍔部の当接面の下方のブラインドリベットの前部領域よりも厚い部材の穴に挿入された場合、ブラインドリベットは、反対側に突出することなく、穴内に残留する。さらに、結合すべき部材の反対側に配置されるかまたは穴内に残留するリベット本体の部分を変形させるために、ブラインドリベットは、衝突を生じさせる中央把持面を含む。
【０００９】
変形を生じさせる衝突として、例えば、ブラインドリベットが開口部に挿入された同一の方向における急激な移動がある。このことは、反対側にまたは穴自体にリベット頭部を形成できるような方法である。
【００１０】
本発明によって提供される別の方法は、把持面で引っ張りが行われる方法である。すなわち、この場合、例えば、タペットまたは引張要素が把持面に一時的に結合され、この種の把持面で引っ張り移動が行われる。次に、リベット頭部をセットした後に、タペットまたは引張要素との結合部を再び分離できる。
【００１１】
両方の場合において、リベットにマンドレルを予め取り付けることをなしで済ますことができ、この結果、次にゴミが発生しない。
【００１２】
リベット本体の前部領域を変形させるために把持すべきである中央把持面は、例えば、リベット本体の穴の端部に形成することができる。例えば、穴は、ほぼ、互いに結合すべき２つの板の厚さにほぼ対応する程度のものになる。この把持面をブラインドリベットの鍔部の外面の近傍に配置できることも可能である。
【００１３】
さらに、穴の狭隘部からのまたは穴の狭隘部における中央把持面がリベット本体内に形成されることが可能であり、そのことは本発明の範囲内にある。
【００１４】
本発明による発展形態では、中央把持面にセット工具のタペットを当てることができることを意図することができる。すなわち、この場合、このようなタペットを穴に貫入できるように、穴が寸法決めされている。次に、リベット結合部を形成した後にまたタペットを分離した後に、穴がリベット本体の上面に残留する。
【００１５】
本発明によって提供される別の方法は、リベット本体の内部の穴内に、中央把持面に割り当てられたこの反対側の端部を有する拡張体が配置される方法である。次に、中央把持面の反対側の拡張体のこの端部には、セット工具のタペットが衝突できる。
【００１６】
特に、拡張体が穴内に配置されるだけでなく、拡張体がリベット本体から抜け落ちることがない程度に固定されることも重要である。このことは、僅かな締め付けによって実現することができる。当然、締め付けは、拡張体の打ち込みを妨害しない程度であるべきである。
【００１７】
本発明のさらなる発展形態では、ブラインドリベットの非拡張状態において、拡張体がリベット本体の鍔部の環状の把持面から突出することを意図することができる。この突出する部分は、セット工具内のブラインドリベットへの衝突のために使用することができる。さらに、この実施形態をセット制御点として使用できるが、この理由は、正確にセットした後に、部分がさらに突出せず、最も重要なことは、拡張体の端部が鍔部の表面と面一に延びるからである。
【００１８】
本発明によれば、リベット本体の前部領域の変形を容易にするためにまたは促進するために、変形を生じさせる狭隘部の後方の穴が、狭い隙間としてまたはその他の形状でさらに連続することを意図することができる。
【００１９】
これまで、押圧方向への衝突によって変形が行われた場合、本発明によるブラインドリベットを形成できることを説明してきた。しかし、最初に既述したように、中央把持面で引っ張り方向への把持を行うことによって、リベット頭部を形成することも可能である。この場合、次に、本発明は、引張棒を取り付けて引っ張るための中央把持面を形成することを提供する。このことは、タペットを当てる場合と同様に、引張棒が中央把持面に接触するまで引張棒を挿入できるような開口部をリベット本体に設けなければならないことを意味する。リベット結合部を形成した後に再び分離される引張棒を使用した場合にも、ゴミが発生しないという利点がある。工具の一部である引張棒は、もはや使用不可能になる程度に摩耗されるまで繰り返し使用することができる。
【００２０】
本発明によれば、リベット本体が、例えば、鍔部の平坦な下面に非円形断面または突出部を有することを意図することができる。これにより、回転負荷時に、リベットの同時回転が防止されて、より大きな安全性が得られる。
【００２１】
本発明は、さらに、ブラインドリベットを形成するための方法であって、リベット本体が中空リベットとして形成されかつその一方の端部の領域に鍔部が設けられる方法を提供する。リベット本体には工具用の追加の中央把持面が設けられる。リベット本体の前端と中央把持面との間のリベット本体の領域は、把持面への急激な作用によりこの領域に変形が生じるように形成される。この形状は、中空空間、予定屈曲箇所を設けることによって、あるいは適切な材料選択または材料加工によって実現することができる。
【００２２】
本発明は、さらに、ブラインドリベットをセットするための方法であって、鍔部の下面が表面に当接するまで、前端が設けられたブラインドリベットが、結合すべき２つの要素の互いに面一の孔に挿入され、次に、それに対して、リベット頭部を成形するために、中央把持面への衝突により、この把持面とリベット本体の前端との間のリベット本体の領域が変形される方法を提供する。
【００２３】
発展形態では、ブラインドリベットを挿入した後に、押圧によって中央把持面に衝突が生じることを意図することができる。この衝突は急激に生じる。
【００２４】
さらに、中央把持位置に衝突が生じた後に引っ張りを行うことが可能であり、そのことは本発明の範囲内にある。この場合、リベット本体の上面の支持を行うことができるので、引っ張りをゆっくりと行うこともできる。
【００２５】
衝突が生じた後に引っ張りを行うために、引張ボルトが、ブラインドリベットの開口部の底部に当接するまで挿入されて、凹部の底部に結合されるようにすることができる。次に、リベットを変形させるために、引張ボルトがリベット本体に支持されつつ引き抜かれる。次に、引張ボルトを中央把持位置から分離できる。
【００２６】
引張ボルトをリベット本体に結合するために、例えば冷間溶接法を行うことができる。
【００２７】
さらに、抵抗溶接を行うことが可能であり、そのことは本発明の範囲内にある。
【００２８】
引張ボルトを打ち込みリベットに結合するために、引張ボルトが凹部の底部にねじ込まれ、引き抜いた後に、再びねじ止めが外されることも可能である。
【００２９】
本発明は、さらに、ブラインドリベットをセットするための装置を提供する。この装置は、ブラインドリベットを所定の位置に保持するためのホルダと、ブラインドリベットと同軸に配置されたタペットと、それを急激に前進させるための駆動装置とを含む。この駆動装置は、好ましくは、この前進移動を行うための装置を備えることができる。タペットがブラインドリベットの開口部に入るか、またはブラインドリベットから突出する拡張体に衝突できるように、ブラインドリベットがタペットに向けられるべく、ホルダが形成されている。
【００３０】
タペット用の駆動方法としては、ガスの爆発燃焼または駆動負荷があり、さらに、テンション装置を有するガス圧ばね、テンション装置を有する油圧ばね、油圧ピストン、テンション装置を有する圧縮ばね、または圧縮空気がある。
【００３１】
送り駆動装置の予荷重を発生させるために、エネルギー源、例えば、蓄電池、送電線に接続するための電気ケーブル、圧縮空気または油圧装置を使用できる。
【００３２】
本発明の発展形態では、本装置は、駆動装置によって同様に前方に移動させることができる前部領域が管状の保持体を備えることを意図することができる。挿入中に、ブラインドリベット自体を、結合すべき物体の穴に保持するために、この保持体を使用できる。さらに、本装置は、送り本体と同軸に配置された引張ボルトを備えることができ、この引張ボルトは、駆動装置によって前進させまた引っ張り戻すことができる。本装置は、引張ボルトをブラインドリベットの凹部の底部に結合するための装置を含む。本装置は、引張ボルトとブラインドリベットとの間の結合部を再び分離するための装置をさらに含む。
【００３３】
本発明のさらなる発展形態では、本装置は、引張ボルトをねじるための回転装置を備えることができる。
【００３４】
引張ボルトをリベット本体に結合するために、本装置は冷間溶接装置を備えることができる。この冷間溶接装置は、圧力下でブラインドリベットの中央把持面に接触した際に、引張ボルトを回転させるように作動できる。
【００３５】
さらに、本装置は、引張ボルトとブラインドリベットとの間で抵抗溶接を行うための装置を備えることが可能である。
【００３６】
引張ボルトをリベット本体から分離するために、本装置は例えば引張ボルトをねじることができ、この結果、リベット本体と引張ボルトとの間には剪断が生じる。
【００３７】
特に、このことは、本装置が、複数のブラインドリベットを収容するためのマガジンを含む場合に重要である。
【００３８】
本発明の別の特徴、詳細および利点は特許請求の範囲と要約書とから明らかになる。特許請求の範囲および要約書の両方の内容は、明細書の発明の詳細な説明、すなわち、本発明の好ましい実施形態の以下の説明の内容に関連しており、また図面に基づいている。
【実施例】
【００３９】
図１は、本発明の第１の実施形態によるブラインドリベットの左半部側面図および右半部縦断面図を示している。ブラインドリベットは、その中央領域にスリーブ２の形状を有するリベット本体１を含む。図１のリベット本体１の上端には、平坦な下面４を有する鍔部３が形成されている。下面４は、スリーブ部２が延びる側面である。平坦な下面４の反対側の鍔部の上面５には、工具用の環状の把持面として使用できる平面が形成されている。
【００４０】
鍔部３の反対側の側面において、中間スリーブ部２がリベット本体の前部６に連続しており、この前部において、リベット本体１は、徐々に小さくなる断面を有する。
【００４１】
スリーブ部２内には、孔と呼ぶことができる円筒状の内側開口部８が形成されており、この場合、この内側開口部が必ずしも穿孔されているとは限らないことが理解される。また、開口部は、孔の形状、すなわち、内側開口部の長さにわたって一定である円形断面を有する。内側開口部８の端部には、漏斗状の狭隘部１２があり、次に、この狭隘部は、狭いスリット９に移行する。前端は２つの部分の結合部をスリット９の両側に有するので、スリット９がリベット本体の前端になお直接関連し続ける。
【００４２】
内側開口部８内には、一定の締め付けで内側開口部８の縁部に当接する拡張体１０が配置されている。これにより、この拡張体は、ブラインドリベットによる作業時に抜け落ちることがないように固定されている。内側開口部８の内部に向けられた端部１１は、漏斗状の狭隘部１２の開始部にほぼ当接する。拡張体１０の反対側外端１３は、鍔部３の環状上面５を越えて明らかに突出する。はるかに小さい拡張体が内側開口部８内に配置されることも可能である。
【００４３】
図２は、ブラインドリベットと、非常に簡略化して示されている工具１４との間の相互の割り当てを示している。詳細に示されていない方法でブラインドリベットを工具１４に保持でき、この結果、工具１４による作業によって、重なり合う２つの板１８、１９の穴１５に前記ブラインドリベットを挿入できる。工具は内孔１６を含み、この内孔は、前部領域がスリーブ状に形成された工具１４の部分１４ａが、鍔部３の上面５を通過した拡張体１０に把持できるように寸法決めされている。この相互の割り当てにおいて、既述したように、ブラインドリベットが穴１５を通して移動される。図３に示されているような配置が生じる。次に、さらなる作業ステップにおいて、タペット２０が工具１４の孔１６を通して急激に前方に移動される。タペット２０の前方正面２１は、拡張体１０の外側正面１３に当たり、内側開口部８の内部で前記拡張体を前方に移動させる。この状態が図３に示されている。
【００４４】
拡張体１０の前端１１が内側開口部８の端部の狭隘部１２に当たった場合、リベット本体の前端６の２つまたは複数の部分は外側に変形する。このことはスリット９によって可能になる。前端６の２つまたは複数の部分の前部は互いに結合されているので、これらの部分は、図４に示されているように互いに裂けず、リベット頭部２２を形成できる。この状態において、タペット１０の外側正面１３はリベット本体の鍔部３の上面と同一の面にある。形成されているリベット頭部２２の内部は拡張体１０によって補強されている。次に、工具が取り外されて、リベット結合部が得られ、このようにして、リベット結合部が、図５の側面図に示されているような外観を有する。拡張体１０は、鍔部３の見ることができる上面５からもはや突出しない。リベット結合部を上方から、すなわち、さらに図５において上方から見た場合、この正面１３が鍔部の上面５と面一に延びているかどうかを認識しなければならない。上記正面がリベット本体にあまりにも深く貫入された場合、このことから、状況によっては、上記正面の前進移動に対する抵抗が小さすぎたことを推定できる。このために、このことは、結合固定が十分でないことを示している可能性がある。この点において、拡張体１０はセット制御点を形成する。
【００４５】
図６と図７は、本発明によるブラインドリベットの第２の実施形態を示している。さらに、リベット本体は、平坦な下面４と、同様に平坦な上面５とを有する外側に向けられた鍔部３を含む。リベット本体内のスリーブ領域には、一定の直径で円筒状でありかつ面取りされるように終端する内側開口部２８が形成されている。スリーブ部２は、鍔部３の反対上面５に対して平行に延びる平坦な正面２２に終端する。この場合、図７に簡略化して示されているように、拡張体３０の面取りされた前端が、板１８、１９の向こう側にあるスリーブ部２の部分を外側に押し退けることによって、拡張が行われる。
【００４６】
図８は、本発明によるブラインドリベットをセットできるセットユニットを非常に簡略化して示している。セットユニットは、ハウジング４０内に、図示例で全長にわたって管形状を有する保持体１４ａを含む。この保持体はハウジング４０内で長手方向に移動可能に案内されている。保持体１４ａの内部において、タペット２０は同様に長手方向に同軸に移動可能に案内されている。２つの送り要素、すなわち、保持体１４ａとタペット２０とを移動させるために、ハウジング４０内に駆動装置４１が配置されており、この駆動装置が、図示したように、２つの要素を前進移動させることができる。タペット２０用の駆動装置は、このタペット２０を急激に前進移動させることができるように形成されているが、この理由は、タペット２０が変形動作を行わなければならないからである。ハウジング４０の側方には、一連のブラインドリベットが収容されているマガジン４３が配置されており、前記ブラインドリベットはマガジン４３から工具の前部領域に挿入され、この結果、それらのブラインドリベットはタペット２０に対して配向されている。
【００４７】
図９に示されているブラインドリベットは、図１〜図７によるブラインドリベットと同様に形成されている。図１〜図７によるブラインドリベットとは異なり、この場合、内側開口部３８は、底部３９まで円筒状に貫通している。この底部３９は、壁部４５に隣接して環状に周囲に延びる凹部を有し、この結果、底部３９の中央領域は縁部に対して若干隆起している。その他の点では、図９のブラインドリベットは、先行する実施形態と同様に形成されている。ブラインドリベットは、保持体４６に把持され、そして鍔部３の平坦な下面４が板の上面に当接するまで、２つの板１８、１９の穴１５を貫通して挿入される。保持体４６は、内孔１６をさらに有し、この内孔を通して要素を移動させることができる。このことは図１０に示されており、この場合、最初に、図１０の右半部を参照されたい。正面４７を有する引張棒４９がブラインドリベットの内側開口部３８の底部３９に接触するまで、引張棒４９は工具の内側開口部１６を通して移動される。次に、２つの面の間の結合、例えば抵抗溶接が行われる。次に、引張棒４９で引っ張りが行われる。このことにより、ブラインドリベットの前部領域、すなわち、互いに結合すべき板１８、１９の背面４８とブラインドリベットの前端との間の領域が変形することになる。ブラインドリベットの前端におけるこの引っ張りにおいて、保持体４６を有する工具を鍔部の上面に支持できる。この結果は図１０の左側に示されている。ここで、例えば引張棒４９が回転されることによって、引張棒４９がブラインドリベットから分離される。これにより剪断が生じる。
【００４８】
図１１は、図９によるブラインドリベットをセットできる工具を示している。ハウジング４０内には保持体４６が軸方向に移動可能に配置されている。この保持体は、挿入時にブラインドリベットを案内するためにまた引張棒４９を引っ張った際に工具を支持するためにのみ実際に使用される。保持体４６を前進させるために、駆動装置４１が設けられており、同様に、引張棒４９を前進および後退させるために、図示されていない駆動装置が設けられている。さらに、引張棒４９を回転させることができ、それに関連して、歯車５０が示されている。
【００４９】
図１２と図１３のブラインドリベットは、本発明を置換できるような別形態を示している。２つの例において、ブラインドリベットは、ほぼ平坦な下面４を有する鍔部３をさらに含む。下面４が、ブラインドリベットの挿入時に、ブラインドリベットを結合すべきである要素の表面に貫入できるリブ、個々の突出部等を備えることができることを理解されたい。このような形状部は、回り止めを形成するために使用することができる。鍔部３のほぼ平坦な下面４が僅かに湾曲されており、この結果、外縁が表面に若干食い込むことも可能である。数学的な面から僅かに異なるこれらの全ての形状部は、ほぼ平坦な下面４の概念に含まれるべきである。
【００５０】
鍔部は、これらの２つの実施形態において、従来の実施形態よりも本質的に厚く形成されているので、把持面５は、ほぼ平坦な下面４からより大きい間隔を有する。この場合も、把持面５は環状に形成されているので、その把持面はブラインドリベットの内部の孔８を囲む。鍔部は、下面４に隣接する第１の領域６０を有し、この第１の領域において、前記下面は六角形の外周を有する。鍔部３の部分６０のこの六角縁形状は、図１３のブラインドリベットにも適用することができる。次に、この第１の部分６０は第２の部分６１に隣接し、ここで、鍔部は円筒状に形成されており、雄ねじ６２を有する。図示例で平坦である把持面５を湾曲させることもできる。このことは、他の実施形態における把持面にも適用される。
【００５１】
スパナを取り付けるために、六角部６０を使用できる。
【００５２】
図１０による実施形態では、厚くされた鍔部３の内孔に、つまり、把持面５を起点とする領域に、雌ねじ６３が設けられている。
【００５３】
図１２と図１３に示されているブラインドリベットをセットした後に、図１２による実施形態の雄ねじ６２を使用して、または図１３による実施形態の雌ねじ６３を使用して、物体を前記ブラインドリベットに固定するために、前記ブラインドリベットを使用できる。螺着時に、より高いトルクが加えられた場合に、ブラインドリベットの同時回転、したがって、生じ得る緩みを防止するために、六角形の領域６０をスパナで保持できる。同様に、穴に挿入すべきブラインドリベットの前部、すなわち、前端と平坦な下面４との間の領域も、円形断面とは異なる断面を有することができる。
【００５４】
したがって、２つの板を結合することだけでなく、ブラインドリベット自体を固定することにも、ブラインドリベットを使用できる場合、ブラインドリベットを固定すべき要素の背面で前部領域を拡張することも不要である。それ自体固定される要素が、それに応じて大きい厚さを有している場合、要素自体の穴または孔の内部の拡張を行い得ることも可能であり、そのことは本発明の範囲内にある。すなわち、前部領域の外部の変形と共に、穴、同様に止まり穴の内部の変形も行うことができる。
【００５５】
図９による実施形態では、凹部３８の底部３９が凹部３８よりも小さい直径を有するが、このことは、図１２と図１３による実施形態の場合とは異なる。この場合、底部３９は、周囲に延びる切り込みなしに形成されている。ここで、変形のために、引張棒が把持でき、その引張棒の前端は面取りされているので、このようにして、変形工程後の剪断を容易にする必要があるより小さい面が形成される。
【００５６】
その他の点では、凹部３８は、一定の断面を有することが不要であり、僅かに漏斗状に延びることもできる。
【００５７】
したがって、説明本文で「板」という用語が用いられた場合、このことは、本発明によるブラインドリベットによって、任意の材料からなる２つの部分を互いに結合できるという一例であるに過ぎない。個々の要素を他の要素に、例えばフックを板に固定することも可能である。さらに、中空リベット自体が要素の貫通孔または止まり穴に固定されるように、中空リベットを単に使用することが可能である。このことは、特に、図１２と図１３による実施形態に適用される。
【００５８】
したがって、図１２と図１３による実施形態または図９による実施形態を基にして、中央把持位置、すなわち詳細には鍔部３の中央把持位置を大きく形成できる。
【００５９】
ブラインドリベットの断面は、通常、円形に形成されている。しかし、ブラインドリベットを非円形の穴に挿入するために、ブラインドリベットが、円形とは異なる断面を有することも可能であり、そのことは本発明の範囲内にある。このようにして、回転防止を可能にすることができる。
【図面の簡単な説明】
【００６０】
【図１】本発明の第１の実施形態によるブラインドリベットの部分断面側面図。
【図２】開口部に挿入する前の図１のブラインドリベットの断面図である。
【図３】拡張前の挿入されたブラインドリベットの図面である。
【図４】拡張後の状態図である。
【図５】リベット工程の結果の図面である。
【図６】図３に対応する、第２の実施形態の図面である。
【図７】図４に対応する、図６のブラインドリベットの図面である。
【図８】本発明によるブラインドリベットをセットするためのセットユニットの非常に簡略化された図面である。
【図９】図２に対応する、別のブラインドリベットの図面である。
【図１０】図９のブラインドリベットのセット工程の２つの別の段階図である。
【図１１】図９のブラインドリベット用のセットユニットの概略図である。
【図１２】雄ねじを有するブラインドリベットの軸方向断面図である。
【図１３】雌ねじを有するブラインドリベットの軸方向断面図である。
【図１】
2009526179.tif 000003
【図２】
2009526179.tif 000004
【図３】
2009526179.tif 000005
【図４】
2009526179.tif 000006
【図５】
2009526179.tif 000007
【図６】
2009526179.tif 000008
【図７】
2009526179.tif 000009
【図８】
2009526179.tif 000010
【図９】
2009526179.tif 000011
【図１０】
2009526179.tif 000012
【図１１】
2009526179.tif 000013
【図１２】
2009526179.tif 000014
【図１３】
2009526179.tif 000015
【国際調査報告】
2009526179.tif 000016
2009526179.tif 000017
2009526179.tif 000018
2009526179.tif 000019
2009526179.tif 000020
2009526179.tif 000021
2009526179.tif 000022
2009526179.tif 000023
2009526179.tif 000024
2009526179.tif 000025
2009526179.tif 000026
2009526179.tif 000027